(57)【要約】【課題】  この発明は、温湯槽と冷水槽とに交互に足を浸すことにより足に刺激を与え新陳代謝の促進し健康と美容を目的とするものである。【解決手段】  ３６０度回転し、座高に応じて調節自在な椅子２の前面に温湯槽３を配置し、その背面に冷水槽４を配置したことを特徴とする足湯、冷水装置１おいて、温湯槽３は、保温ヒ−タ−室５と足浴槽室６の２室からなり、保温ヒ−タ−室５には保温ヒ−タ−７及び薬草袋８吊り下げ用フック９が設けられ、足浴槽室６には、木枠又は合成樹脂製枠１０からなる高低自在な調節格子型足置き台１１を配置したことを特徴とし、冷水槽４は、令水温を一定に保持される充電式電動エア−ポンプ１４を備え、冷水槽４は、足浴槽室６に収納される大きさであることを特徴とする足湯、冷水装置１である。【選択図】  図１
2005288110.tif 000002
【特許請求の範囲】
【請求項１】
３６０度回転し、座高に応じて調節自在な椅子２の前面に温湯槽３を配置し、その背面に冷水槽４したことを特徴とする足湯、冷水装置１。
【請求項２】
温湯槽３は、保温ヒ−タ−室５と足浴槽室６の２室からなり、その両側中央部分に横に突き出した手摺り１３を設け、保温ヒ−タ−室５には保温ヒ−タ−７及び薬草袋８等の吊り下げフック９が設けられ、足浴槽室６には、木枠又は合成樹脂製枠１０からなる高低自在な調節格子型足置き台１１を配置してなり、左外側面にシャワ−１２を配置したことを特徴とする請求項１記載の足湯、冷水装置１。
【請求項３】
冷水槽４は、冷水温を一定に保持させる充電式電動エア−ポンプ１４を備え、冷水槽４には、足置き台１５を配置し、足浴槽室３に収納される大きさであることを特徴とする請求項１記載の足湯、冷水装置１。
【発明の詳細な説明】
【技術分野】
【０００１】  この発明は、温湯槽と冷水槽とに交互に足を浸すことにより足に刺激を与え新陳代謝の促進し健康と美容に関するものである。
【背景技術】
【０００２】従来から健康管理上、足を温める技術については知られているところであり、足を暖める技術として種々の技術が知られている。【０００３】従来の足を暖める技術としては、次に示すような技術がある。
【特許文献１】特開昭５５−２５５７５５「自動温度調整足温兼用の足冷器」
【特許文献２】特開昭６０−２５６４５４「手足温浴装置」
【特許文献３】特開昭６４−２６６５「温浴器」
【特許文献４】特開２００１−２５８９８６「足温器」
【０００４】  上記技術のうち特開昭５５−２５５７５５「自動温度調整足温兼用の足冷器」は、足台筐体にモ−タ、フアンおよびヒ−タ−を内蔵させ、夏期および冬期に足冷および足温を選択的に使用可能とするものがある。【０００５】  特開昭６０−２５６４５４「手足温浴装置」は、例えば、有機ゲルマニュウムを含む湯中に手や足を浸すことにより、人体全体の発汗作用を促進して新陳代謝を活発化するという現象を利用して、楽な姿勢で上記作用による健康管理を可能にする手足温浴装置に関するものがある。【０００６】  特開昭６４−２６６５「温浴器」は、お湯を使えことなく遠赤外線による温熱効果によって効果的な温浴ができると共に温熱効果だけでなく磁気による刺激効果のある温浴器に関するものがある。【０００７】特開２００１−２５８９８６「足温器」は、足温器に接続する着脱式電源コ−ドを収納する凹状部を足温器のふたに設けることにより、その電源コ−ドを足温器外に収納保管時の紛失や、電源コ−ドを足温器内に収納することにより内面を傷つけることを防止でき、非使用時に電源コ−ドが邪魔にならない足温器に関するものがある。
【発明が解決しようとする課題】
【０００８】  しかし、上記出願に係る発明は何れも水およびお湯を用いない自動温度調整足温兼用の足冷器又は足を暖め装置或いは冷やす装置である。
これに対し、この発明は、温湯槽と冷水槽とに交互に足を浸すことにより足に刺激を与え新陳代謝の促進し健康と美容を目的とするものである。
【０００９】その装置は、３６０度回転し、座高に応じて調節自在な椅子２の前面に温湯槽３を配置し、その背面に冷水槽４を配置したことを特徴とする足湯、冷水装置おいて、温湯槽３は、保温ヒ−タ−室と足浴槽室の２室からなり、保温ヒ−タ−室には保温ヒ−タ−及び浴剤設置部が配置され、足浴槽室には、木枠又は合成樹脂製枠からなる高低自在な調節格子型足置き台を配置したことを特徴とし、冷水槽４は、冷水温を一定に保持される保冷剤収納室を備え、冷水槽４は、足浴槽室に収納される大きさであることを特徴とする足湯、冷水装置１である。
【課題を解決するための手段】
【００１０】  この発明は、３６０度回転し、座高に応じて調節自在な椅子の前面に温湯槽を配置し、その背面に冷水槽を設けた足湯、冷水装置である。
【００１１】  この発明に係る温湯槽は、保温ヒ−タ−室と足浴槽室の２室からなり、その両側中央部分に横に突き出した手摺りを設け、保温ヒ−タ−室には保温ヒ−タ−及び薬草袋等の吊り下げフックが設けられ、足浴槽室には、木枠又は合成樹脂製枠からなる高低自在な調節格子型足置き台を配置してなり、左外側面にシャワ−を配置してなるものである。
【００１２】  この発明に係る冷水槽は、冷水温を一定に保持させる充電式電動エア−ポンプを備え、冷水槽には、足置き台を配置し、足浴槽室に収納される大きさであることを特徴とするものである。
【発明の効果】
【００１３】  この発明は、以上詳述したように、一般の温湯槽とは違い、保温ヒ−タ−室と足浴槽室の室からなり、保温ヒ−タ−室にフックに吊り下げられた薬草袋から滲出した薬効成分により足は芯から暖め、その暖められた足の血管は膨張し、その反対側にある冷水槽に浸すことにより、足の温度は急激に下がり、足の血管は、収縮する。このような行為を繰返し行うことにより、足の血管は膨張・収縮を繰返し行われることにより、新陳代謝が促進され、血流が活発になるものである。
【００１４】  このようにこの発明は、温湯槽と冷水槽とに交互に足を浸すことにより足に刺激を与え新陳代謝の促進し健康と美容にその効果を有するものである。
【発明を実施するための最良の形態】
【００１５】  この発明の実施の形態は図面を参照して詳述する。
図１は本発明の実施の形態になる３６０度回転し、座高に応じて調節自在な椅子２の前面に温湯槽３を配置し、その背面に冷水槽４を配置した全体を示すもので、図２は、本発明の実施の形態になる３６０度回転し得る椅子２に人が座り、前面の温湯槽３に足を入れ、一部を切り欠いた状態の側面と、その背面に冷水槽４の一部を切り欠いた状態の側面を表し、冷水槽４の点々は、充電式電動エア−ポンプ１４からエア−を噴出している状態を示した説明図である。【００１６】  図３は、本発明の実施の形態になる３６０度回転し得る椅子２に人が座り、前面の温湯槽３一部を切り欠いた状態の側面と、その背面に冷水槽４足を入れ冷水槽４の側面の一部を切り欠いた状態の側面を表し、一点鎖線は、注入水位線を示した説明図である。【００１７】図４は、本発明の実施の形態になる温湯槽３および冷水槽４に設置する水道蛇口２０の斜視図であり、図５は、本発明の実施の形態になる冷水槽４に設置する充電式電動エア−ポンプの斜視図である。【００１８】図６は、本発明の実施の形態になる木枠又は合成樹脂製枠からなる高低自在な調節格子型足置き台の斜視であり、図７は、図６上下可変金具取り付け部分の要部拡大説明断面図である。【００１９】  図８は、本発明の実施の形態になる収納時、コンパクトに収納する為、前面の温湯槽３内に、背面に冷水槽４を収納した状態を示した斜視説明図である。
【実施例】
【００２０】  以下、本発明の実施例を図面に基づいて説明する。
温湯槽３に注水する前に温湯槽３内の木枠又は合成樹脂製枠１０の調節格子型足置き台１１の位置を座る人の座高により変わるので、その位置を予め決める。その方法は、足置き台１１の四隅にある留め金具１６の凸辺１７を枠１０の穴８に差し込んで位置決め行うものである。【００２１】  そして、温湯槽３内の木枠１０の場合は、水を注ぐと浮き上がるので、木枠１０の対象２隅に重石となる鉄板９を設け、木枠１０の浮き上がり防止をしている。木枠１０は足の感触が良く合成樹脂製品のものより優れている
枠１０の調節格子型足置き台１１の位置が決まった段階で、図１に示す温湯槽３と冷水槽４にそれぞれ蛇口２０から注入水位線まで水を入れを行う。【００２２】  温湯槽３は、保温ヒ−タ−室５と足浴槽室とに上部は仕切られているが下の部分は仕切りが無く湯水はお互いに通じている。そのため、保温ヒ−タ−に電源を入れると、足浴槽室の温度が４０度程度上がったところで、保温ヒ−タ−室５のフック９に薬草袋８を吊るすと保温ヒ−タ−室５の上部温度は４２度と高く薬草の薬液が抽出され易くなっており、足浴槽室に順次流出して行くものである。【００２３】足浴槽室６の湯温が上昇し準備が整い次第、３６０度回転する椅子２に人が座るが、若い人、健康な人は手摺り１３を必要としないが、お年寄りや病んでいる人は、手摺り１３に捉まって、安全に椅子２に座ることができるものである。
椅子２に座った際、座高に応じて調節し、楽な姿勢で足浴槽室６の湯に足をつけることができ、足が充分に暖まったところで、椅子２を１８０度回転し、背面に冷水槽４に足をつける。【００２４】  冷水槽４には、充電式電動エア−ポンプ１４を備え、常にエア−が送られているので、温まった足を入れても水温は上がることなく一定の温度に保たれ、足を冷やすことができるものである。
冷水槽４につけられた足が充分に冷えたところで、椅子２を１８０度回転し、背面の足浴槽室６の湯に足をつけて足を暖める。【００２５】このような行動を数回繰り返すことにより、足は暖められたり、冷やされたりして、刺激を受け、新陳代謝の促進を促し、健康と美容に効果があるものである。
この行動の終了に際しては、冷水槽４の冷水を抜き、冷水槽４で足についた薬草の匂いをシャワ−１２により洗い流し、足を綺麗にするものである。
【図面の簡単な説明】
【００２６】
【図１】  本発明の実施の形態になる３６０度回転し、座高に応じて調節自在な椅子２の前面に温湯槽３を配置し、その背面に冷水槽４を配置した全体斜視図である。
【図２】  本発明の実施の形態になる３６０度回転し得る椅子２に人が座り、前面の温湯槽３に足を入れ、一部を切り欠いた状態の側面と、その背面に冷水槽４の一部を切り欠いた状態の側面を表し、冷水槽４の点々は、充電式電動エア−ポンプからエア−を噴出している状態を示した説明図である。
【図３】  本発明の実施の形態になる３６０度回転し得る椅子２に人が座り、前面の温湯槽３一部を切り欠いた状態の側面と、その背面に冷水槽４足を入れ冷水槽４の側面の一部を切り欠いた状態の側面を表し、一点鎖線は、足を入れる前の水位を示した説明図である。
【図４】  本発明の実施の形態になる設置水道蛇口の斜視図である。
【図５】  本発明の実施の形態になる充電式電動エア−ポンプの斜視図である。
【図６】  本発明の実施の形態になる木枠又は合成樹脂製枠からなる高低自在な調節格子型足置き台の斜視である。
【図７】  本発明の実施の形態になる木枠又は合成樹脂製枠からなる高低自在な調節格子型足置き台の要部拡大説明断面図である。
【図８】  本発明の実施の形態になる収納時、前面の温湯槽３内に、背面に冷水槽４を収納した状態を示した斜視説明図である。
【符号の説明】
【００２７】１    足湯、冷水装置
２    椅子
３    温湯槽
４    冷水槽
５    保温ヒ−タ−室
６    足浴槽室
７    保温ヒ−タ−
８    薬草袋
９    フック
１０  木枠又は合成樹脂製枠
１１  調節格子型足置き台
１２  シャワ−
１３ａ，１３ｂ  手摺り
１４  充電式電動エア−ポンプ
１５  足置き台
【図１】
2005288110.tif 000003
【図２】
2005288110.tif 000004
【図３】
2005288110.tif 000005
【図４】
2005288110.tif 000006
【図５】
2005288110.tif 000007
【図６】
2005288110.tif 000008
【図７】
2005288110.tif 000009
【図８】
2005288110.tif 000010